(57)【要約】【課題】  浸透マンホールのフィルターの砕石，泥等による目詰まりを防止することができ、雨水浸透機能を長期にわたって維持できると共に砕石，泥等の掃除，排出等も容易にできる浸透マンホールを提供する。【解決手段】  底部にフィルター７を備えた浸透マンホール１において、フィルターの上面でマンホールの略中央部位に側面全周にわたって多数の通水孔１２を形成した籠体１１が配置され、該籠体の外周を複数の分割体から成る上面が閉塞された位置決め部材１４で保持した浸透マンホール。【選択図】        図１
2006077394.tif 000002
【特許請求の範囲】
【請求項１】
底部にフィルターを備えた浸透マンホールにおいて、該フィルターの上面でマンホールの略中央部位に側面全周にわたって多数の通水孔を形成した籠体を配置し、該籠体の外周を複数の分割体から成る上面が閉塞された位置決め部材で保持したことを特徴とする浸透マンホール。
【請求項２】
前記籠体を複数段配置し、各籠体を相互に接続係止すると共に最下位の籠体を除いて各籠体の底板にも通水孔を形成したことを特徴とする請求項１に記載の浸透マンホール。
【請求項３】
最上位の籠体に釣紐を接続し、該釣紐の他端側をマンホール入口部に設けたフックに係止させたことを特徴とする請求項１又は請求項２に記載の浸透マンホール。
【発明の詳細な説明】
【技術分野】
【０００１】
本発明は、側壁及び底部にフィルターを備え、雨水等をマンホール等から地中へ浸透させる浸透マンホールに関するものである。
【背景技術】
【０００２】
従来，雨水等をマンホール等から地中へ浸透させる浸透マンホールにおいて、該浸透マンホールの底部に雨水浸透フィルターを備えたものがある（例えば特許文献１参照。）。
【０００３】
【特許文献１】特開２００２−１２１８１０号公報  図１３
【発明の開示】
【発明が解決しようとする課題】
【０００４】
ところで、前記従来の技術では、雨水に混ざって砕石，泥等が含まれていた場合に、フィルターに砕石，泥等が目詰まってしまい雨水浸透機能を妨げることになると共にフィルターに目詰まった砕石，泥等の掃除，排出が容易でなく、フィルターの交換回数も増えてしまう、という虞がある。
【０００５】
本発明は、従来の技術の有するこのような問題点に鑑みてなされたものであり、その目的とするところは、浸透マンホールのフィルターの砕石，泥等による目詰まりを防止することができ、雨水浸透機能を長期にわたって維持できると共に砕石，泥等の掃除，排出等も容易にできる浸透マンホールを提供しようとするものである。
【課題を解決するための手段】
【０００６】
上記目的を達成するために、本発明における浸透マンホールは、底部のフィルターの上面でマンホールの略中央部位に側面全周にわたって多数の通水孔を形成した籠体を配置し、該籠体の外周を複数の分割体から成る上面が閉塞された位置決め部材で保持したことを特徴とするものである。
【０００７】
また、籠体を複数段配置し、各籠体を相互に接続係止すると共に最下位の籠体を除いて各籠体の底板にも通水孔を形成したことを特徴とするものである。
【０００８】
また、最上位の籠体に釣紐を接続し、該釣紐の他端側をマンホール入口部に設けたフックに係止させたことを特徴とするものである。
【発明の効果】
【０００９】
以上のように、底部のフィルターの上面でマンホールの略中央部位に側面全周にわたって多数の通水孔を形成した籠体を配置し、該籠体の外周を複数の分割体から成る上面が閉塞された位置決め部材で保持したので、籠体及び位置決め部材は地上から容易に浸透マンホール内に持ち込められ、簡単，容易に組み合わせて籠体を浸透マンホールの底部に設置することができ、フィルターの砕石，泥等による目詰まりを防止することができ、雨水浸透機能を長期にわたって維持できると共に砕石，泥等の掃除，排出等も容易にできる浸透マンホールとなる。
【００１０】
また、籠体を複数段配置し、各籠体を相互に接続係止すると共に最下位の籠体を除いて各籠体の底板にも通水孔を形成したので、雨水に混ざって砕石，泥等が最上位の籠体から順次大きい砕石，泥等が籠体に集積され、前記フィルターの目詰まり等をより防止することができる浸透マンホールとなる。
【００１１】
また、最上位の籠体に釣紐を接続し、該釣紐の他端側をマンホール入口部に設けたフックに係止させたので、籠体に砕石，泥等が集積しても地上から釣紐引っ張り籠体引き上げることが可能となり、浸透マンホールの底まで降りなくても籠体の掃除が容易にすることができる浸透マンホールとなる。
【発明を実施するための最良の形態】
【００１２】
図１ないし図４は本発明に係る浸透マンホールの一実施例に関するもので、図１は籠体を浸透マンホール内に設置した概略断面図、図２は籠体を浸透マンホール内に設置した平面図、図３は籠体の正面図、図４は位置決め部材の正面図を示すものである。
【００１３】
図において、１は浸透マンホールであり、該浸透マンホ―ル１は例えばコンクリート製の円形状の底体２とコンクリート製の筒状の複数のブロック体３（例えば二段）とコンクリート製のマンホール入口部４と蓋体５を載置する蓋受け部６とを重ねたものからなり、前記底体２の中心部近傍には雨水を浸透マンホール１内から地中へ浸透させるフィルター７が挿着されている。また、前記ブロック体３の周壁には雨水を浸透マンホール１内から地中へ浸透させるフィルター枠に収容されたフィルター８，８，…が挿着される多数の貫通孔９，９，…が形成されている。さらに、マンホール内壁には縦に一定間隔で足掛具１０，１０，…が取り付けられている。
【００１４】
１１は籠体あり、該籠体１１は例えば合成樹脂，強化プラスチック製であり、籠体１１の側面全周にわたって多数の通水孔１２，１２，…が形成されている。そして、前記籠体１１の底板の裏面には突起１３，１３，…が設けられ、前記底体２のフィルター７の上面で浸透マンホール１の底略中央部位に該籠体１１は配置されている。
【００１５】
１４は前記籠体１１の外周を保持する位置決め部材であり、該位置決め部材１４は例えば合成樹脂，強化プラスチック製であり、複数の分割体（例えば三分割体）を組み合わせてドーナツ円形状にして浸透マンホール１の底の内壁にその外周を沿わせて配置させ、その内周に前記籠体１１の外周を保持している。そして、各位置決め部材１４は上板と側板から形成されて中は空洞にして重量の軽いものとし、また位置決め部材１４を組み合わせるとドーナツ円形状で上面は閉塞されものとなり、該上面の外周から内周に向けてテーパー１５が形成されて、雨水等が前記籠体１１に向けて流れ込むようになっている。
【００１６】
以上のような構成からなる浸透マンホール１であって、前記籠体１１及び位置決め部材１４，１４，１４は地上から容易に浸透マンホール１内に持ち込められ、位置決め部材１４，１４，１４を組み合わせて浸透マンホール１の底部に簡単に籠体１１を設置することができる。
【００１７】
そして、浸透マンホール１内に大量の雨水等が流し込まれた場合には前記ブロック体３の周壁には設置された多数のフィルター枠に収容されたフィルター８，８，…及び前記底体２に設置されたフィルター７から雨水等は浸透マンホール１内から地中へ浸透させることができる。この際、雨水等に混在された砕石，泥等は浸透マンホール１内の底の方に流されるていくが、前記籠体１１を設置することにより、該砕石，泥等は籠体１１内に集積されて前記フィルター７の目詰まり等を防止することができ、雨水浸透機能を長期にわたって維持できると共に砕石，泥等の掃除，排出等も前記籠体１１を地上に運び出して簡単，容易にすることができる。
【００１８】
図５ないし図７は本発明に係る浸透マンホールの他の実施例に関するもので、図５は複数の籠体を浸透マンホール内に設置した概略断面図、図６は複数の籠体と位置決め部材の組立説明図、図７は最上段及び二段目の位置決め部材の正面図を示すものである。
【００１９】
本実施例は前記籠体を複数段（例えば三段）配置するものであり、最下位の籠体１６の側面全周にわたって多数の通水孔１７，１７，…が形成され、該籠体１６の底板１８には通水孔を形成せず、中間位の籠体１９には側面全周にわたって多数の通水孔１７，１７，…及び該籠体１９の底板１８にも通水孔２０，２０，…が形成され、最上位の籠体２１には側面全周にわたって多数の通水孔１７，１７，…及び該籠体２１の底板１８にも前記籠体１９の底板１８に形成された通水孔２０，２０，…よりも多数の通水孔２２，２２，…が形成されている。
そして、各籠体１６，１９，２１は各籠体の中心部に形成されたボルト挿通ガイド２３に連結ボルト２４を挿通し、蝶ナット２５を連結ボルト２４に螺合させて各籠体１６，１９，２１を連結する。また各籠体１６，１９，２１の外周には前記位置決め部材１４，１４，…を組み合わせて各籠体１６，１９，２１を設置している。
なお、中間位及び最上位の籠体１９，２１を保持する位置決め部材は図７に示すような、複数の分割体（例えば三分割体）を組み合わせる位置決め部材２６，２６，…にすることも可能であり、該位置決め部材２６，２６，…は上面の外周から内周に向けてテーパー１５を形成するだけでなく下面側面にも外周から内周に向けてテーパー２７を形成し（図７参照）、これにより雨水等は前記籠体１６，１９に向けてスムーズに流れ込むようになる。さらに位置決め部材１４，２６が雨水等により浮いてしまわないようにそれぞれ連結させ、マンホールの底に固定することが望ましい。
【００２０】
籠体１６，１９，２１及び位置決め部材１４，２６を複数段（例えば三段）配置する以外は図１から図４に示した実施例と実質的に同一構成であるので同じ符号を付してその説明を省略する。この場合、雨水に混ざって砕石，泥等が最上位の籠体２１から順次大きい砕石，泥等が籠体に集積され、前記フィルター７の目詰まり等をより防止することができるようになる。
【００２１】
また、最上位の籠体２１に釣紐２８を接続し、該釣紐２８の他端側を前記マンホール入口部４の内壁に設けたフック２９に係止させることも可能である。この場合、籠体１６，１９，２１に砕石，泥等が集積しても地上から釣紐２８引っ張り籠体１６，１９，２１引き上げることが可能となり、浸透マンホール１の底まで降りなくても籠体１６，１９，２１の掃除が容易にすることができる。
【図面の簡単な説明】
【００２２】
【図１】本発明の一の実施例に係る浸透マンホールの籠体を浸透マンホール内に設置した概略断面図である。
【図２】籠体を浸透マンホール内に設置した平面図である。
【図３】籠体の正面図である。
【図４】位置決め部材の正面図である。
【図５】本発明の他の実施例に係る浸透マンホールの複数の籠体を浸透マンホール内に設置した概略断面図である。
【図６】複数の籠体と位置決め部材の組立説明図である。
【図７】最上段及び二段目の位置決め部材の正面図である。
【符号の説明】
【００２３】
１                        浸透マンホール
４                        マンホール入口部
７                        フィルター
１１，１６，１９，２１    籠体
１２，１７，２０，２２    通水孔
１４，２６                位置決め部材
１８                      底板
２８                      釣紐
２９                      フック
【図１】
2006077394.tif 000003
【図２】
2006077394.tif 000004
【図３】
2006077394.tif 000005
【図４】
2006077394.tif 000006
【図５】
2006077394.tif 000007
【図６】
2006077394.tif 000008
【図７】
2006077394.tif 000009